(57)【要約】【課題】糸の種類に関わらず均一な品質の起毛糸を得ることができる意匠糸の製造方法及び当該意匠糸の製造装置を提供する。【解決手段】糸１を一定方向に送りながら、前記糸１の送り方向と交差する方向に回転する粗面体４に対して、前記糸１に張力が付与された状態で該糸１を接触させることによって前記糸の表面を起毛させる。【選択図】図１
2014189929.tif 000002
【特許請求の範囲】
【請求項１】
糸を一定方向に送りながら、前記糸の送り方向と交差する方向に回転する粗面体に対して、前記糸に張力が付与された状態で該糸を接触させることによって前記糸の表面を起毛させる意匠糸の製造方法。
【請求項２】
前記回転する粗面体に対して前記糸を線接触させる請求項１記載の意匠糸の製造方法。
【請求項３】
糸を送る上流側ガイドローラと、
前記糸の送り方向と交差する方向に回転して、前記上流側ガイドローラから送り出された糸と接触する粗面体と、
前記粗面体に接触した糸を送る下流側ガイドローラと、
前記下流側ガイドローラから送り出された糸を巻き取る巻取りローラを備えた意匠糸の製造装置。
【発明の詳細な説明】
【技術分野】
【０００１】
本発明は、表面が起毛加工された意匠糸の製造方法及び当該意匠糸の製造装置に関するものである。
【背景技術】
【０００２】
従来から、糸表面に起毛加工を施して毛羽を付与した意匠糸が知られている。この意匠糸は、糸表面に形成された毛羽により嵩高となり、当該意匠糸を使用した生地はいわゆるピーチスキン状の柔らかな肌触りとなって保温性が増し、生地の地合いを厚くすることができる。
【０００３】
このような起毛加工を施した意匠糸を製造する方法として、針が突出した起毛機にループヤーンを通すことにより、当該ループの一部を引き出したり切断したりして糸表面に突出させる方法が知られている。しかし、この製造方法では、起毛機の針に引掛け可能なループを有する糸でないと起毛することができず糸の種類が限定されるといった問題があった。また、ループを引掛けて引き出しこれを切断して起毛することから、起毛された毛が長くなったり、引き出された長い毛が抜けやすくなったりして、このような糸を用いて得られる織物では、ピーチスキン状の柔らかな肌触りが得られないといった問題もあった。さらに、意匠糸の芯糸にポリウレタン繊維を使用する場合、ポリウレタン繊維が起毛機の針に引掛けられて切れ易いといった問題があった。
【０００４】
これらの問題に対して、特許文献１には、摩擦体としての環状型砥石により起毛加工を施す方法及び装置が開示されている。具体的には、チーズから引き出された糸を送り出しローラを介して中空スピンドルに導き、中空スピンドルと同速で回転するフライヤー装置で糸をバルーン形状とし、形成されたバルーンを環状型砥石の内面に接触させることで起毛加工を施すものである。この方法によれば、針に糸のループを引掛けるといった工程が存在しないため、ループヤーンに限らず多くの種類の糸を起毛することが可能である。
【先行技術文献】
【特許文献】
【０００５】
【特許文献１】特開２００１−０４９５４３号公報
【発明の概要】
【発明が解決しようとする課題】
【０００６】
しかしその一方で、特許文献１に記載の技術では、フライヤー装置でバルーン形状に形成された糸を環状型砥石の内面に接触させていることから、バルーン自体の形状が安定せず、バルーン部分と環状型砥石との接触状態を良好に保てない。その結果、環状型砥石に対する糸の当り方が一様とはならないため、糸を均一に起毛させることが難しく、均質な起毛糸を得ることが極めて難しいといった問題があった。
【０００７】
また、特許文献１に記載の技術では、固定された状態で配設された環状型砥石に対して、バルーン形状の糸を所定速度で送りながら接触させる構成となっている。したがって、環状型砥石に対するバルーン形状の糸の回転速度や、環状型砥石を通過する際の糸の送り速度によって、起毛度合いが決定されることになる。しかし、バルーン形状の糸では、糸の送り速度を調整することが難しく、環状型砥石に対する接圧調整も難しいため、これによっても起毛ムラが生じやすくなって均質な起毛糸が得られない原因となっていた。
【０００８】
本発明は、これら表面が起毛加工された従来の意匠糸の製造方法及びその製造装置における課題を解決すべくなされたものであって、その目的は、糸の種類に関わらず均一な品質の起毛糸を得ることができる意匠糸の製造方法及び当該意匠糸の製造装置を提供することである。
【課題を解決するための手段】
【０００９】
上記目的を達成するために、請求項１に記載の意匠糸の製造方法に係る発明では、糸を一定方向に送りながら、前記糸の送り方向と交差する方向に回転する粗面体に対して、前記糸に張力が付与された状態で該糸を接触させることによって前記糸の表面を起毛させることを要旨とする。
【００１０】
この構成によれば、糸は粗面体に対して接触することでその表面が起毛することから、ループを有しない糸であっても起毛することが可能であり、糸の種類を問わず多種類の糸を起毛させることができる。
【００１１】
また、糸は張力が付与された状態で粗面体に接触するため、粗面体に対する接触状態が安定し、糸に付与される起毛ムラを抑制することができる。さらに、粗面体自身も回転しているため、糸と粗面体との接触状態を安定させることができる。これにより、均一な品質の起毛糸を得ることができる。そして、糸の起毛度合いが糸の送り出し速度のみならず、粗面体の回転速度にも依存していることから、これら両速度を調整することで糸の起毛度合いを多様なものとすることができ、多種多様な起毛糸を得ることができる。
【００１２】
好ましくは、前記回転する粗面体に対して前記糸を線接触させる。
この構成によれば、粗面体に対する糸の接触状態をより安定させることができる。
上記目的を達成するために、請求項３に記載の意匠糸の製造装置に係る発明では、糸を送る上流側ガイドローラと、前記糸の送り方向と交差する方向に回転して、前記上流側ガイドローラから送り出された糸と接触する粗面体と、前記粗面体に接触した糸を送る下流側ガイドローラと、前記下流側ガイドローラから送り出された糸を巻き取る巻取ローラを備えたことを要旨とする。
【００１３】
この構成によれば、上流側ガイドローラ及び下流側ガイドローラによって送られる糸の送出速度を制御することにより、粗面体表面を通過する糸に適度な張力を付与することができる。これにより、上流側ガイドローラと下流側ガイドローラとの間に配設された粗面体と糸との接触状態を安定させることができる。したがって、粗面体を通過した糸には均一な起毛が付与されて、均一な品質の起毛糸を得ることができる。
【発明の効果】
【００１４】
本発明によれば、糸の種類に関わらず均一な品質の起毛糸を得ることができる。
【図面の簡単な説明】
【００１５】
【図１】意匠糸の製造装置の概略図。
【図２】粗面体に糸を接触させる状態の斜視図。
【発明を実施するための形態】
【００１６】
（起毛糸の製造装置について）
以下、表面が起毛加工された起毛糸としての意匠糸の製造方法及び当該意匠糸の製造装置についての一実施形態について説明する。まず、本実施形態の起毛糸の製造装置について説明する。
【００１７】
図１に示すように、起毛糸の製造装置は、起毛前の原糸１が巻きつけられたコーンから原糸１を引き出す駆動ローラ２、粗面体４の上流側に配置されて駆動ローラ２からの原糸１をガイドする上流側ガイドローラ３、原糸１を起毛して起毛糸１０とする粗面体４、粗面体４を回転駆動する中空軸７、中空軸７の下流側に配置されて粗面体４からの起毛糸１０をガイドする下流側ガイドローラ８、及び起毛糸１０を巻取り芯に巻き取る巻取りローラ９から構成されている。以下、これらの構成要素について順次説明する。なお、ここで言う上流、下流とは、原糸１（起毛糸１０）の送出方向（図１の矢印Ａ方向）における相対的な関係を言う。
【００１８】
原糸１として用いられるものは、素材、繊維の長短、撚り等について特に限定されるものではない。フィラメント糸であっても紡績糸であってもよく、綿糸や麻糸等の植物性繊維、絹糸や毛糸等の動物性繊維、再生繊維、半合成繊維、合成繊維、或いはこれらの素材を複数組み合わせた混紡糸であってもよい。さらに紡績糸としては、単糸、双糸、或いは３本以上の単糸を撚り合わせた糸であってもよく、その撚り方向についても特に限定されない。また、ループヤーン、スラブヤーン、ネップヤーン、リングヤーン、ノットヤーン等の意匠糸であってもよい。
【００１９】
原糸１が巻きつけられたコーンの下流側には、図示しない駆動源により駆動される駆動ローラ２及び上流側ガイドローラ３を介して、原糸１が送り込まれる粗面体４が配設されている。
【００２０】
図１及び図２に示すように、粗面体４は、金属製の台座６上に円環状の環状砥石５が積層されて形成されている。環状砥石５の大きさ、すなわち上面５１の外径、内径及び側面５２の高さは、原糸１の性状、起毛糸１０の起毛度合いに応じて適宜決定することができる。また、環状砥石５の上面５１の両側縁５３は、原糸１が接触する際に切れ難いようにＲ形状となっている。環状砥石５の粒度についても同様に原糸１の性状、起毛糸１０の起毛度合いに応じて適宜決定することができるが、通常、粒度ＪＩＳ表示で８０番〜８００番のものを使用することが好ましい。
【００２１】
台座６は略円板状の平板部６１と、平板部６１の中央から下方に向けて突出形成される円筒状の筒部６２とから形成されている。平板部６１の中央には、孔６３が形成されるとともに、筒部６２内には中空部６４が形成され、孔６３と連通している。中空部６４は、筒部６２の上へ行くほどその内径が徐々に小さくなるように形成されている。台座６は環状砥石５を中空軸７と一体回転するための部材である。
【００２２】
中空軸７は、従来の仮撚り加工装置に用いられる中空スピンドルを使用することができる。中空軸７は図示しないスピンドルテープにより回転される。本実施形態では、左右両方向（図２のＢ方向及びＣ方向）のいずれにも回転できるように構成されている。中空軸７の回転速度は、使用する環状砥石５の周速度を考慮するとともに、原糸１の性状及び起毛糸１０の起毛度合いに応じて適宜決定することができる。また、中空軸７の外径は、台座６の筒部６２の中空部６４の内径に対応して形成されている。換言すれば、中空軸７を台座６の筒部６２に挿入したとき、中空軸７の先端が筒部６２の中空部６４内部に保持されるようにその外径が形成されている。
【００２３】
図１に示すように、粗面体４及び中空軸７の上流側及び下流側には、上流側ガイドローラ３及び下流側ガイドローラ８からなる一対のガイドローラが配設されている。これら一対のガイドローラ３、８は、いずれも図示しない駆動源にて駆動される。上流側ガイドローラ３は、環状砥石５の側方に配置されて、上流側ガイドローラ３から送出される原糸１が環状砥石５の上面５１と同じ高さ（上面５１が水平であることが前提となる。）か、或いはわずかに下方から供給されるように配置される。上流側ガイドローラ３と環状砥石５とをこのような位置関係とすることにより、上流側ガイドローラ３から送出される原糸１が環状砥石５の上面５１に対して確実に線接触する状態となる。また、上流側ガイドローラ３から送出される原糸１が環状砥石５の上面５１よりわずかに下方から送出されるように配置することにより、原糸１の環状砥石５に対するあたりの深さを調整することができる。このようにして、起毛糸１０の起毛度合いを適宜設定することができる。
【００２４】
一方、下流側ガイドローラ８は、中空軸７の直下方に配置されており、環状砥石５で起毛されて中空軸７から送出される起毛糸１０が中空軸７の下端と接触しないようになっている。これは、環状砥石５の上面５１に線接触して起毛された起毛糸１０が中空軸７の下端によって損傷したり切断したりすることを回避するためである。
【００２５】
上流側ガイドローラ３と下流側ガイドローラ８とは通常、同速となるように駆動されている。これにより、原糸１及び起毛糸１０に一定の張力が付与されてたるみが生じることがなく、また、過度の張力が作用することもないため、引張りによる原糸１或いは起毛糸１０の切断といった事態が回避される。上流側ガイドローラ３と下流側ガイドローラ８による原糸１及び起毛糸１０の送出速度は、原糸１の性状、起毛糸１０の起毛度合いに応じて適宜決定することができる。また、原糸１及び起毛糸１０の送出速度は、中空軸７の回転速度、すなわち環状砥石５の回転速度との関係においても適宜決定することができる。糸の送出速度及び環状砥石５の回転速度を適宜変更することにより、多種多様な起毛糸１０を得ることができる。
【００２６】
下流側ガイドローラ８の下流には、図示しない駆動源で駆動する巻取りローラ９及び図示しないトラバーサが配設され、起毛糸１０はトラバーサを経由して巻取りローラ９上の巻取り芯に順次均等に巻き取られていく。
（作用について）
以上詳述した本実施形態の起毛糸１０の製造装置の作用について以下に説明する。
【００２７】
環状砥石５の上面５１に原糸１を接触させていることから、環状砥石５の表面の凹凸が原糸１の表面を起毛させるように作用する。
粗面体４の上流側に配置された上流側ガイドローラ３と下流側に配置された下流側ガイドローラ８とを回転駆動することにより、原糸１及び起毛糸１０に張力を付与している。そして、これら一対のガイドローラ３、８を同速で駆動させていることから、原糸１は張力が掛かった状態で環状砥石５に接触するように作用する。
【００２８】
上流側ガイドローラ３は環状砥石５の側方に配置されているため、上流側ガイドローラ３から送出される原糸１は、環状砥石５の上面５１と同じ高さか、わずかに下方位置から供給される。したがって、上流側ガイドローラ３から送出される原糸１は、環状砥石５の上面５１に対して線接触する状態となっている。
【００２９】
原糸１の送出方向（Ａ方向）に対して、環状砥石５を回転させるとともに、その回転方向（Ｂ、Ｃ方向）が原糸１の送出方向に直交している。したがって、原糸１と環状砥石５との間には、２方向に移動するような力が作用する。
【００３０】
原糸１の送出速度と環状砥石５の回転速度を適宜変更することにより、原糸１に対する環状砥石５の接触態様を変化させることができる。
環状砥石５の上面５１に形成されたＲ形状の両側縁５３は、環状砥石５に接触した原糸１の損傷、切断を抑制するように作用する。
【００３１】
中空軸７は、粗面体４を支持して回転させるとともに、その内部で起毛糸１０を案内するように作用する。
（起毛糸の製造方法について）
次に、本実施形態の起毛糸の製造方法について説明する。
【００３２】
図１に示すように、まず、原糸１が巻きつけられたコーンを製造装置の所定位置に設置し、コーンから引き出した原糸１を、駆動ローラ２、上流側ガイドローラ３を介して粗面体４の孔６３に挿入する。孔６３から台座６及び中空軸７の内部を通って引き出された原糸１の先端を、下流側ガイドローラ８を介して巻取りローラ９の巻取り芯に巻きつける。製造装置をこのような初期状態に設定した後に、原糸１の性状及び要求される起毛糸１０の起毛度合いに基づいて、原糸１をＡ方向に所定速度で送り出すとともに、粗面体４を中空軸７の回転によって所定速度で回転させる。このとき、原糸１及び起毛糸１０には上流側ガイドローラ３と下流側ガイドローラ８での送り速度に基づいて所定の張力が付与されている。原糸１を送り出す上流側ガイドローラ３が環状砥石５の側方に配置されて、上流側ガイドローラ３から送出される原糸１が環状砥石５の上面５１と同じ高さか、或いはわずかに下方から供給されるようになっていることから、原糸１の送出と粗面体４の回転によって、原糸１は環状砥石５の回転方向に対して直交するようにして、環状砥石５の上面５１に対して線接触する。このようにして、環状砥石５に線接触した原糸１の表面が起毛されて起毛糸１０が製造される。
【００３３】
原糸１から起毛糸１０を製造する場合、原糸１の性状及び要求される起毛糸１０の起毛度合いにより、製造に先立って予め次の事項を決定する。
（Ａ）環状砥石５の粒度
（Ｂ）中空軸７の回転速度、すなわち環状砥石５の回転速度
（Ｃ）環状砥石５の上面５１に対する上流側ガイドローラ３の位置、すなわち環状砥石５に対する原糸１のあたりの深さ
（Ｄ）環状砥石５の回転方向
（Ｅ）環状砥石５に対する原糸１の送出速度
（Ｆ）原糸１及び起毛糸１０に掛かる張力の強さ
（Ａ）で規定する環状砥石５の粒度は、上述のとおり、通常、粒度ＪＩＳ表示で８０番〜８００番を使用することが好ましい。
【００３４】
（Ｂ）で規定する環状砥石５の回転速度は、中空軸７が１分間に回転する回転数として規定され、（Ｅ）で規定する原糸１の送出速度は、上流側ガイドローラ３及び下流側ガイドローラ８が１分間に原糸１及び起毛糸１０を何メートル送出するかで規定している。本実施形態では、上流側ガイドローラ３と下流側ガイドローラ８のそれぞれの送出速度を同じく設定している。そして、環状砥石５の回転速度を、原糸１の送出速度と、原糸１が１メートル送出される間の環状砥石５の回転数とから決定するものとする。環状砥石５の回転速度は、使用する環状砥石５の周速度によってその上限値が制限されるものであるが、例えば、原糸１の送出速度が２０ｍ／ｍｉｎとなるようにし、原糸１が１メートル送出される間の環状砥石５の回転数を４００回転となるように設定した場合では、環状砥石５の回転速度は、８０００回転／ｍｉｎとなる。環状砥石５の回転速度を例えば８０００ｒｐｍ以下となるように設定した場合、原糸１及び起毛糸１０の送出速度は、１〜１００ｍ／ｍｉｎに設定することが望ましい。
【００３５】
（Ｃ）で規定する環状砥石５の上面５１に対する上流側ガイドローラ３の位置は、環状砥石５の上面５１に対する原糸１のあたりの深さを決定する。起毛度合いを高くしたい場合には、上流側ガイドローラ３の位置を、当該上流側ガイドローラ３から送出される原糸１が環状砥石５の上面５１よりやや下方から供給されるように配置する。逆に、起毛度合いを低くしたい場合には、上流側ガイドローラ３の位置を環状砥石５の上面５１の側方に配置して、上流側ガイドローラ３から送出される原糸１が環状砥石５の上面５１に対して水平状態で線接触するようにする。
【００３６】
（Ｄ）で規定する環状砥石５の回転方向は、原糸１の撚り方向に基づいて決定されることが好ましい。通常は、加撚された原糸１が解撚される方向に環状砥石５が回転するようにすると起毛が好適に付与されることから好ましい。例えば、Ｓ撚りの原糸１に対しては、環状砥石５を図１に示すＣ方向へ回転させる。逆に、Ｚ撚りの原糸１に対しては、環状砥石５を図１に示すＢ方向へ回転させる。ただし、芯糸としてポリウレタン繊維が使用されている場合では、原糸１が解撚される方向へ環状砥石５を回転させると、ポリウレタン繊維が剥き出しになって切れやすいため好ましくない。この場合には、（Ｅ）で規定する環状砥石５に対する原糸１のＡ方向への送出速度に対し、（Ｂ）で規定する環状砥石５の回転速度を遅くするなどしてポリウレタン繊維の切断を回避するようにしてもよい。
【００３７】
（Ｆ）で規定する原糸１及び起毛糸１０に掛かる張力の強さは、上流側ガイドローラ３での原糸１の送出速度と下流側ガイドローラ８での起毛糸１０の送出速度により決定される。通常、上流側ガイドローラ３と下流側ガイドローラ８とは同速で駆動されて、原糸１及び起毛糸１０にたるみが生じることなく一定の張力が付与され、また、過度の張力が作用することもないように構成されている。
（効果）
以上詳述した本実施形態によれば、次のような効果を奏することができる。
【００３８】
（１）環状砥石５の表面の凹凸が原糸１の表面を起毛させることから、従来の針が突出した起毛機とは異なり起毛させる糸の種類を問わない。ループを有しない糸であっても起毛させることが可能であり、各種のファンシーヤーンはもとより、通常の紡績単糸や撚糸された双糸等、糸の種類を問わず多種多様の糸を起毛させることができる。
【００３９】
（２）原糸１の表面を環状砥石５表面の凹凸で引っ掻くことで、原糸１表面の繊維を切断し産毛状の起毛を得ることができる。また、従来の針起毛機では引き切られ易かったポリウレタン繊維を切れないように調整することが容易である。
【００４０】
（３）従来の針起毛機ではループヤーンのループを引っ掛けて起毛していたため、糸内部の繊維が引き出されて切断され、起毛した部分は１０ｍｍ以上の長い毛となっていた。しかし、本実施形態の環状砥石５での起毛によれば、原糸１の表面だけを分繊させることができるため５ｍｍ以下の短い毛とすることができる。このような短い毛を有する起毛糸では毛抜けが少なく、また、このような起毛糸１０から得られる生地はピーチスキン状の柔らかな肌触りとなる。
【００４１】
（４）上流側ガイドローラ３と下流側ガイドローラ８とが同速で回転しているため、原糸１は張力を付与した状態で環状砥石５の上面５１に線接触することができる。これにより、環状砥石５に対する原糸１の接触状態を安定させることができるため、原糸１の表面に均質な起毛を付与して均質な起毛糸１０を得ることができる。また、同速で回転する上流側ガイドローラ３及び下流側ガイドローラ８間では過度の張力が原糸１及び起毛糸１０に掛かることが回避されるため、原糸１及び起毛糸１０の損傷を好適に抑制することができる。
【００４２】
（５）上流側ガイドローラ３は環状砥石５の側方に配置されて、環状砥石５の上面５１と同じ高さか、わずかに下方の位置から原糸１を供給している。したがって、環状砥石５の上面５１に対して原糸１を安定した状態で接触させることができる。
【００４３】
（６）環状砥石５が中空軸７により回転することから、原糸１と環状砥石５との間には、Ａ方向の摩擦力と、Ｂ、Ｃ方向の摩擦力とが作用する。環状砥石５が回転されていない従来のものと比較して、より多様な起毛を生じさせることができる。
【００４４】
（７）環状砥石５を回転させるとともに、原糸１の送出方向と環状砥石５の回転方向とを直交させている。環状砥石５の回転により原糸１が周方向に回転するため、原糸１の全周に亘って起毛させることができ、表面の起毛度合いを多種多様なものとすることができる。
【００４５】
（８）原糸１の送出速度と環状砥石５の回転速度とを、原糸１の性状、起毛糸１０の起毛度合いに応じて適宜決定することができる。したがって、これらの速度を適宜組み合わせることにより起毛糸１０の表面状態がさらに多様なものを得ることができる。
【００４６】
（９）環状砥石５の上面５１に形成されたＲ形状の両側縁５３により、環状砥石５に接触した原糸１の損傷、切断を抑制することができるため、得られる起毛糸１０の外観形状が良好となる。
【００４７】
（９）中空軸７は、粗面体４を支持して回転させるとともに、その内部で起毛糸１０を案内する部材であり、本実施形態では、公知の中空スピンドルを使用している。したがって、既存の設備を使用して起毛糸１０を製造することができ、コスト的に有利である。
【００４８】
なお、上記実施形態は以下のように変更してもよく、また、以下の変更例を組み合わせてもよい。
・  本実施形態の製造装置では、粗面体４として環状砥石５を使用したが、表面に凹凸が形成されているものであればこれに限られない。表面に凹凸が形成された金属であってもよい。例えば、金属表面にダイヤモンドを付着させたり、ブラスト加工を施したりしたものであってもよく、フッ素処理を施したりしたものであってもよい。
【００４９】
・  本実施形態の製造装置では、環状砥石５の上面５１の両側縁５３をＲ形状としたが、必ずしもこれに限られない。一方の側縁のみをＲ形状としてもよく、両側縁５３ともＲ形状となっていなくてもよい。
【００５０】
・  本実施形態の製造装置では、駆動ローラ２、上流側ガイドローラ３、及び下流側ガイドローラ８をともに図示しない駆動源にて駆動する構成としたが、これに限定されない。下流側ガイドローラ８のみを駆動源にて駆動させ、駆動ローラ２及び上流側ガイドローラ３に代えて、駆動源にて駆動されないテンション装置を配置してもよい。この場合、原糸１が環状砥石５に接触する際に好適な張力が付与されていればよく、テンション装置として従来公知のものを使用することができる。例えば、原糸１に対する張力を調整可能なテンションリングを用いることもできる。
【００５１】
・  本実施形態の製造方法では、原糸１を直線状に送出するとともに、環状砥石５を回転させたが、原糸１を直線状に送出させるのみならず、環状砥石５とともに回転させてもよい。
【００５２】
・  本実施形態の製造方法では、原糸１の送出方向に対して環状砥石５の回転方向が直交するように構成したが、必ずしも直交していなくてもよい。これらの方向が交差していれば、環状砥石５の回転に伴って原糸１が回転することができるため、原糸１の全周に亘って起毛を付与することができる。
【００５３】
・  本実施形態の製造方法では、上流側ガイドローラ３を環状砥石５の側方に配置して、当該上流側ガイドローラ３から送出される原糸１が環状砥石５の上面５１に対して水平状態で線接触するか、或いは、環状砥石５の上面５１よりやや下方から供給されるようにしている。しかし、環状砥石５に対する上流側ガイドローラ３の配置は、これに限定されるものではなく、当該上流側ガイドローラ３から送出される原糸１が環状砥石５の上面５１よりやや上方から供給されるように配置してもよい。このようにすれば、起毛糸１０の起毛度合いを適宜調整することができる。
【００５４】
・  原糸１を環状砥石５に線接触させる場合、環状砥石５の接触面は直線状に限られず円弧状であってもよい。
・  本実施形態の製造方法では、環状砥石５の回転方向を撚糸の解撚方向に設定したが、これと逆方向であってもよい。
【００５５】
さらに、本実施形態より把握できる技術的思想について以下に記載する。
（イ）糸の送り方向と直交する方向に回転する粗面体に対して、該糸を接触させる請求項１又は２記載の意匠糸の製造方法。
【００５６】
（ロ）前記粗面体は環状砥石である請求項３記載の意匠糸の製造装置。
【実施例】
【００５７】
（実施例１）
原糸１としてポリウレタン繊維を芯糸とし、アクリル繊維を浮糸とし、ナイロンを押え糸としたループヤーンを用いた。環状砥石５は、粒度１５０番、上面５１の外径寸法７５ｍｍ、内径寸法５０ｍｍであり、側面の高さ１３ｍｍのものを使用した。原糸１の送出速度は２０ｍ／ｍｉｎに設定するとともに、中空軸７を原糸１が１ｍ送出される間に３５０回転するように設定した。したがって、中空軸７の回転速度は、７０００ｒｐｍである。また、巻取りローラ９の巻取り速度は、原糸１の送出速度と同速である２０ｍ／ｍｉｎに設定した。
【００５８】
（実施例２）
原糸１としてウール１００％の紡績糸を用いた。環状砥石５は、実施例１と同じものを使用した。原糸１の送出速度及び巻取りローラ９の巻取り速度は実施例１と同じ２０ｍ／ｍｉｎに設定した。また、中空軸７を原糸１が１ｍ送出される間に３６０回転するように設定した。したがって、中空軸７の回転速度は、７２００ｒｐｍである。
【００５９】
（起毛糸の評価方法）
実施例１、２で得られた起毛糸の感触を手触りで判断した。これによれば、実施例１、２とも起毛加工することにより、嵩高の柔らかい感触となった。
【符号の説明】
【００６０】
１…原糸（糸）、３…上流側ガイドローラ、４…粗面体、８…下流側ガイドローラ、９…巻取りローラ、１０…起毛糸（意匠糸）。
【図１】
2014189929.tif 000003
【図２】
2014189929.tif 000004